(57)【要約】      （修正有）【課題】箸に付着した雑菌を除去する目的の箸入れ専用ケースの提供。【解決手段】箸入れ専用ケース内（Ａ）に箸立てボックス（ロ）と除菌剤入れボックス（ニ）を取付ける。この除菌剤入れボックス（ニ）のフタと箸立てボックスの底面に小さな穴目(ｅ）を設ける。【選択図】図２
2015051250.tif 000002
【特許請求の範囲】
【請求項１】
形状自在な箸立てボックスと形状自在な除菌剤入れボックスを一対とし組合せた形状自在な箸入れ専用ケース。
【請求項２】
箸と箸の間隙を一定に常に垂直に立てる手段とし、箸立てボックスの上面部に一定の間隙を保つ箸を通す円形の穴目と、この穴目と接合した円筒を設けたフタを取付け、尚、箸立てボックスの底面には無数の小さな穴目を設け、次に箸入れ専用ケースの扉に接する前面部の適宣箇所にＬ字形状の係止具を取り付ける構造である箸立てボックスであり箸入れ専用ケース内に着脱自在に取りつける構造物である。
【請求項３】
除菌を目的とするため除菌剤の出入れが簡単にできる手段とし、引出し方法の引出し式のボックス構造で除菌剤のこぼれ防止の手段として、このボックスに小さな穴目を設けたフタを取り付けたもので、この小さな穴目より除菌剤が箸立てボックスに気流状態で出入できるようにした。次に、除菌剤の持出しを防ぐための施錠装置を取り付けることで箸入れ専用ケースが倒れた場合でも、除菌剤はこぼれない構造とした。除菌剤入れボックスで箸入れ専用ケース内に着脱自在に取りつける構造物である。
【請求項４】
箸立てボックスと除菌剤入れボックスを組合せ、一時固定できる箸入れ専用ケースの構造は以下の通りである。
先ずは、上下作動で下方に開く、片開扉を前面部全体に設けたもので、この扉には、箸立てボックスを一時固定するための逆凹状形の係止具を取り付け、一方の箸立てボックスの係止具を嵌入することで一時固定ができる。次に、この専用ケース内の箸立てボックスの底面に接近し平行になるように格子柄の穴目を設けた中ブタを取付け、この中ブタと専用ケースの底面の空間部に除菌剤入れボックスとする引出し式ボックスを嵌入できる構造とした箸入れ専用ケースで空間除菌を目的とした空間除菌機能付き箸入れ専用ケースである。
【発明の詳細な説明】
【技術分野】
【０００１】  除菌を目的とした空間除菌作用の効力を高める構造にしたものである。
【背景技術】
【０００２】  既存の箸入ケースは、箸を入れるだけの目的である。【０００３】  本発明は、雑菌の除去を重視し、健康面、衛生面から、除菌を目的とするものである。【０００４】  割箸の減産は地球環境問題や二酸化炭素を減少すべきとの活動が広まっている状況から、山林木材の伐採制限があり得るため、割箸がなくなると判断し、塗箸の利用増となり、この状態に伴い、塗箸が共用箸になるため、衛生面として雑菌の除去が必要と考えたものである。
【発明の開示】
【発明が解決しようとする課題】
【０００５】  箸に付着する雑菌を除去するための除菌方法と除菌の効力を高める事を課題にしている。【０００６】  飲食業界にあっては、塗箸の使用が多くなれば、衛生面で除菌が絶対に必要であると認識されると確信し、雑菌の除去対策として除菌を目的とした空間除菌機能を可能とする箸入れ専用ケースで、空間除菌機能付箸入れケース。
【課題を解決するための手段】
【０００７】  除菌を目的とするため、除菌剤の活用に際し、より効能を高める手段として、箸と箸の間隙を保ち、且つ箸を垂直に立てる構造と、除菌剤の化学作用の効率を高める手段とし、小さな穴目を箸立てボックス及び除菌剤入れボックスの随時箇所に設け、次に、箸の出し入れが簡単にできるように箸立てボックスを箸入れ専用ケースの扉に嵌入自在にできるように取り付けた。【０００８】  箸を垂直に立てる手段としては箸立てボックスのフタに設ける穴目に円筒を設ける事で、この穴目と円筒を通る箸は、自然にまっすぐに立つ事になる。
【発明の効果】
【０００９】  箸に付着した雑菌の除去が十分にできる。【００１０】  飲食業界の衛生面への助成が出来る。
【発明を実施するための形態】
【００１１】  本発明は、除菌を目的とした箸入れ専用ケースで空間除菌機能付箸入れ専用ケースである。以下本発明の構造及び形態等の解説を記します。
先ず、箸入れ専用ケース（Ａ）の構造は、上下作動で下方に開く片開扉（イ）を全面部全体に取り付け、この扉に、箸立てボックス（ロ）を一時固定するための逆凹状形の係止具（ａ）を取付け、一方の箸立てボックス（ロ）に設けたＬ字形状の係止具（ｂ）を嵌入することで着脱自在となる一時固定となる。次にこの専用ケース内に取り付けた箸立てボックス（ロ）の底面に接近し、且つ平行になるように格子柄の穴目（ｃ）を設けた中ブタ（ハ）を取付け、この中ブタ（ハ）と箸入れ専用ケース（Ａ）の底面の空間部分に除菌剤入れボックス（ニ）とする引出し式ボックスを嵌入出来る構造とした物体である。
【００１２】  次に、箸立てボックス（ロ）の構造は、空間除菌を目的にしているため、箸と箸の間隙を一定に、且つ、垂直に常に立てる手段として、箸立てボックス（ロ）の上面に円形の穴目と接合した円筒（ｄ）を設けたフタ（ホ）を取付け、箸立てボックス（ロ）の底面には、無数の小さな穴目（ｅ）を設け、次に箸入れ専用ケース（Ａ）の片開扉（イ）に接する箸立てボックス（ロ）の前面部の適宣箇所にＬ字形状の係止具（ｂ）を取りつける構造である。
【００１３】  最後に除菌剤入れボックス（ニ）の構造は当然、空間除菌を目的としているため、除菌の効力を高めることと、除菌剤の出し入れが簡単に出来るように、且つ、除菌剤のこぼれを防ぐ手段として、引出し方法のボックス構造とし、こぼれを防ぐためとしては無数の小さな穴目（ｆ）を設けたフタ（ヘ）を取りつける構造である。又、このフタ（ヘ）の主機能は、除菌剤入れボックス（ニ）に入った除菌剤より箸立てボックス（ロ）に流れ込む空気除菌の気流の出入口となる構造である。尚、箸入れ専用ケース（Ａ）が倒れた際に除菌剤がこぼれない構造とし、除菌剤入れボックス（ニ）の適宣箇所に施錠装置（ト）を設け、第三者の持ちだしをも防ぐための構造としている。
【産業上の利用可能性】
【００１４】  箸に付着した雑菌の除去が常に出来るので、万一の病原菌をも除去出来ることで病気の予防に役立ち家庭は勿論、飲食業外食産業界の必需品となる可能性は大である。
【図面の簡単な説明】
【００１５】
【図１】  立体図
【図２】  立体断面図
【図３】  側面断面図
【図４】  正面断面図
【図５】  箸立てボックス立体断面図
【図６】  除菌剤入れボックス立体断面図
【符号の説明】
【００１６】（Ａ）    箸入れ専用ケース
（イ）    片開扉
（ロ）    箸立てボックス
（ハ）    中ブタ
（ニ）    除菌剤入れボックス
（ホ）    円筒付きフタ
（ヘ）    穴目を設けたフタ
（ト）    施錠装置
（ａ）    逆凹状形の係止具
（ｂ）    Ｌ字形状の係止具
（ｃ）    格子柄の穴目
（ｄ）    円筒
（ｅ）    穴目
（ｆ）    穴目
【図１】
2015051250.tif 000003
【図２】
2015051250.tif 000004
【図３】
2015051250.tif 000005
【図４】
2015051250.tif 000006
【図５】
2015051250.tif 000007
【図６】
2015051250.tif 000008